(57)【要約】【課題】  本発明は、テープ状部品包装体に関し、凹部に収納される電子部品が破損することを未然に防止し得る信頼性の高いテープ状部品包装体を提案する。【解決手段】  テープ状部品包装体において、収納される電子部品の突起電極よりも高い高さを有する段部を凹部内に設けると共に、当該電子部品の突起電極の形成位置に対応させて、当該段部の端部を波形状にするようにしたことにより、電極面の端部から突起電極までの距離が小さい電子部品についても、当該最外周の突起電極が段部の端部と接触しないように段部において支持することができ、かくして収納された電子部品の破損を未然かつ確実に防止し得ることができる。【選択図】        図１
2005104540.tif 000002
【特許請求の範囲】
【請求項１】
一面側にその長手方向に沿って、電極面に突起電極が複数形成された電子部品を収納するための凹部が順次形成されたテープ状部品包装体において、
上記凹部内に設けられ、当該凹部内に収納された上記電子部品を支持する段部
を具え、
上記電子部品の上記突起電極と対向する上記段部の端部が、当該電子部品の上記突起電極の形成位置に対応させて、当該突起電極と接触しないように波形状に形成された
ことを特徴とするテープ状部品包装体。
【請求項２】
上記凹部内における上記電子部品の移動を規制する規制手段を具える
ことを特徴とする請求項１に記載のテープ状部品包装体。
【請求項３】
各上記凹部間にそれぞれ設けられ、他面側に少なくとも上記凹部と同じ高さに突出するガード部を具える
ことを特徴とする請求項１に記載のテープ状部品包装体。
【発明の詳細な説明】
【技術分野】
【０００１】
本発明は、テープ状部品包装体に関し、例えば電極面に突起電極が形成された電子部品を収納して搬送するためのキャリアテープに適用して好適なものである。
【背景技術】
【０００２】
従来、この種のキャリアテープとして、図７に示すように構成されたものがある。かかるキャリアテープ１は熱可塑性樹脂テープを加熱成型することにより形成されており、その一面１Ａ側に長手方向に沿って一定間隔でかかる電子部品６（図１０）を収納するための凹部（以下これをエンボス部と呼ぶ）２が順次形成されている。
【０００３】
またキャリアテープ１の幅方向の一端側には、所定ピッチで送り穴３が穿設されると共に、キャリアテープ１の一面１Ａ側にはその長手方向に沿って所定幅の溝部４が設けられており、かくして送り穴３を基準とし、溝部４をガイドとして、キャリアテープ１を蛇行させることなくその長手方向に一定速度で走行させることができるようになされている。
【０００４】
なお、このようなキャリアテープについての先行技術文献としては、以下の非特許文献１がある。
【非特許文献１】特願平７−２３４１８号
【発明の開示】
【発明が解決しようとする課題】
【０００５】
ところで、かかるキャリアテープ１は、図８に示すように、各エンボス部２内に電子部品６が収納され、これらエンボス部２を覆うようにその一面１Ａ側にカバーテープ（図示せず）が貼着された後に、リール５に何重にも巻き付けられた状態で搬送される。このようにリール５に巻き付けられたキャリアテープ１の円周上各位置におけるエンボス部２の相互間の位置関係を図９に示す。
【０００６】
この図９からも明らかなように、リール５に巻き付けられたキャリアテープ１では、リール５の径方向に隣接するエンボス部２同士が常に円周方向にずれた位置関係にあるわけではなく、図１０に示すように、当該エンボス部２同士がリール５の径方向に重なり合った箇所が生ずる。
【０００７】
そしてこのようなエンボス部２同士の重なりが生じた箇所においては、搬送時における振動等に応じて外周側のエンボス部２の外側壁が内周側のエンボス部２内に収納された電子部品６を押すように作用する場合があり、これによって当該電子部品６の突起電極７が内周側のエンボス部２の底面２Ａに押し付けられて当該突起電極７に、図１０のような潰れ等の破損を生じさせる問題があった。
【０００８】
かかる問題を解決するための１つの方法として、図１１に示すように、エンボス部２内に電子部品６の突起電極７の高さよりも高い段部８を設け、当該段部８においてエンボス部２内に収納された電子部品６の一面側の端部を支えるようにして当該電子部品６を保持する方法が考えられる。
【０００９】
そしてこの方法によれば、図１０のように外周側のエンボス部２の外側壁が内周側のエンボス部２内に収納された電子部品６を押すように作用した場合においても、電子部品６の突起電極７が内周側のエンボス部２の底面２Ａに押し付けられることに起因する当該突起電極７に潰れ等の破損が生じるのを有効に防止できるものと考えられる。
【００１０】
しかしながら、近年では電子部品６の小型化及び機能の向上に応じた多電極化が進み、これに伴って電子部品６の突起電極７が形成された電極面の端部から最外周の突起電極７までの距離が小さくなってきている。
【００１１】
このため上述のようなエンボス部２内に段部８を設ける方法はこのような近年の電子部品６に対応し難く、また例え対応できたとしても、キャリアテープ１の搬送時における振動等によって電子部品６の最外周の突起電極７が段部８の端部と接触し、当該突起電極７に破損が生じるおそれがあった。
【００１２】
本発明は以上の点を考慮してなされたもので、エンボス部に収納される電子部品が破損することを未然に防止し得る信頼性の高いテープ状部品包装体を提案しようとするものである。
【課題を解決するための手段】
【００１３】
かかる課題を解決するため本発明においては、一面１０Ａ側にその長手方向に沿って、電極面に突起電極７が複数形成された電子部品６を収納するための凹部１１が順次形成されたテープ状部品包装体１０において、凹部１１内に設けられ、当該凹部１１内に収納された電子部品６を支持する段部１５を設けると共に、電子部品６の突起電極７と対向する段部１５の端部が、電子部品６の突起電極７の形成位置に対応させて、突起電極７と接触しないように波形状に形成するように設けた。
【００１４】
この結果このテープ状部品包装体１０は、電極面の端部から突起電極７までの距離が小さい電子部品６についても、当該最外周の突起電極７が段部１５の端部と接触しないように段部１５において支持することができる。
【発明の効果】
【００１５】
上述のように本発明においては、一面側にその長手方向に沿って、電極面に突起電極が複数形成された電子部品を収納するための凹部が順次形成されたテープ状部品包装体において、凹部内に設けられ、当該凹部内に収納された電子部品を支持する段部を設けると共に、電子部品の突起電極と対向する段部の端部が、電子部品の突起電極の形成位置に対応させて、突起電極と接触しないように波形状に形成するようにしたことにより、電極面の端部から突起電極までの距離が小さい電子部品についても、当該最外周の突起電極が段部の端部と接触しないように段部において支持することができ、かくして収納された電子部品の破損を未然かつ確実に防止し得る信頼性の高いテープ状部品包装体を実現できる。
【発明を実施するための最良の形態】
【００１６】
以下図面について、本発明の一実施の形態を詳述する。
【００１７】
（１）本実施の形態によるキャリアテープの構成
（１−１）キャリアテープの全体構成
図１において、１０は全体として本実施の形態によるキャリアテープを示し、電極面に突起電極７（図３）が複数形成された電子部品６（図３）を複数収納し得るようになされている。すなわちこのキャリアテープ１０は熱可塑性樹脂テープを加熱成型することにより形成されており、その一面１０Ａ側に長手方向に沿って一定間隔でかかる電子部品６を収納するためのエンボス部１１が順次形成されている。
【００１８】
またキャリアテープ１０の幅方向の一端側には、所定ピッチで送り穴１２が穿設されると共に、キャリアテープ１０の一面１０Ａ側にはその長手方向に沿って所定幅の溝部１３が設けられており、かくして送り穴１２を基準とし、溝部１３をガイドとして、キャリアテープ１０を蛇行させることなくその長手方向に一定速度で走行させることができるようになされている。
【００１９】
さらにキャリアテープ１０の一面１０Ａ側における各エンボス部１１間には、それぞれエンボス部１１と同じ深さを有する所定形状のガードポケット１４が形成され、他面１０Ｂ側においてエンボス部１１とガードポケット１４が同じ突出量になるように設けられている。かくしてこのキャリアテープ１０が、図８のようにリール５に巻き付けられた状態において、当該リール５の径方向に隣接するエンボス部１１同士が重なり合った場合においても、図５（Ａ）に示すように、外周側のエンボス部１１の両側にあるガードポケット１４によって支えるようにして当該外周側のエンボス部１１が内周側のエンボス部１１内に嵌り込むのを有効に防止し得るようになされている。
【００２０】
（１−２）エンボス部１１の構成
ここでエンボス部１１においては、図２に示すように、その内側面の下部に当該内側面の一周に渡って所定高さの段部１５が設けられている。そしてその段部１５の高さＨ１は、図３に示すように、収納される電子部品６の突起電極７の高さＨ２よりも僅かに大きく選定されており、これによりエンボス部１１に収納された電子部品６を、その突起電極７がエンボス部１１の底面１１Ａに接触しないようにこの段部１５によって電極面側を支持するように保持し得るようになされている。
【００２１】
またこの段部１５の幅方向の端部には、図３のように当該端部と対向する最外周の突起電極７を２つずつの組に分けた場合の各組にそれぞれ対応させて、これら２つの突起電極７を避ける方向に、かつ上側にいくに従ってこれら２つの突起電極７からより大きく離反するように湾曲した湾曲部１５Ａが設けられている。
【００２２】
この場合、各湾曲部１５Ａの湾曲形状は、図３のように電子部品６がエンボス部１１の中央及びその近傍に位置している状態において、当該電子部品６の対応する２つの突起電極７と接触しない形状に選定されている。
【００２３】
そして段部１５の端部は、このような湾曲部１５Ａが連続して設けられることにより全体として波形状に形成されており、かくして段部１５が当該波形形状の少なくともエンボス部１１の内側に突出する部位（各湾曲部１５Ａの連結部分）において電子部品６の電極面における突起電極７間を支持し得るようになされている。
【００２４】
これによりこのキャリアテープ１０においては、電極面の端部から最外周の突起電極７までの距離が小さい電子部品６を収納する場合においても、当該電子部品６の最外周の突起電極７が段部１５の端部と接触するのを有効かつ未然に防止しながら段部１５において電子部品６を確実に支持し得るようになされている。
【００２５】
さらにエンボス部１１内における段部１５の上側には、図２のように四方の各側面の幅方向の中央部をそれぞれエンボス部１１の内側に突出させてなる第１〜第４の突出部１６Ａ〜１６Ｄが設けられている。
【００２６】
この場合第１〜第４の突出部１６Ａ〜１６Ｄは、それぞれ下側にいくほどエンボス部１１の内側への突出量が大きくなるように全体としてテーパ状に形成されており、これによりエンボス部１１内に収納された電子部品６を、図３のようにこれら第１〜第４の突出部１６Ａ〜１６Ｄの表面に沿って段部１５上のエンボス部１１の中央に向かうようにガイドし得るようになされている。
【００２７】
また第１〜第４の突出部１６Ａ〜１６Ｄにおいては、段部１５の上面における第１及び第３の突出部１６Ａ、１６Ｃ間の距離が電子部品６の縦方向の長さとほぼ同じ大きさに選定されると共に、段部１５の上面における第２及び第４の突出部１６Ｂ、１６Ｄ間の距離が当該電子部品６の横方向の長さとほぼ同じに大きさに選定されており、これによりエンボス部１１内に収納された電子部品６の縦方向の変位を第１及び第３の突出部１６Ａ、１６Ｃによって規制すると共に当該電子部品６の横方向の変位を第２及び第４の突出部１６Ｂ、１６Ｄによって規制し得るようになされている。
【００２８】
かくしてキャリアテープ１０においては、これら第１〜第４の突出部１６Ａ〜１６Ｄにおける当該エンボス部１１に収納された電子部品６の図４（Ａ）に示すような偏りや図４（Ｂ）に示すような回転を防止することができ、これによりこれら偏りや回転に起因して電子部品６の突起電極７が段部１５の端部と接触し、破損するのを未然に防止し得るようになされている。
【００２９】
（１−３）ガードポケット１４の構成
ガードポケット１４においては、図５に示すように、その内側面１４Ａ〜１４Ｄのうちキャリアテープ１０の幅方向に対向する一対の内側面１４Ｂ、１４Ｄがその底面１４Ｅに対して斜め方向に形成されているのに対し、キャリアテープ１０の長手方向に対向する一対の内側面１４Ａ、１４Ｃが当該ガードポケット１４の底面１４Ｅに対してほぼ垂直方向に形成されており、これによりガードポケット１４の幅方向の外寸が内寸よりも大きくなるように構成されている。
【００３０】
これによりこのキャリアテープ１０においては、図８のようにリール５に巻き付けられた状態において、当該リール５の径方向に隣接するガードポケット１４同士が重なり合った場合においても、図５（Ｂ）に示すように、外周側のガードポケット１４の外側壁が内周側のガードポケット１４内に入り込めず、かくして外側のガードポケット１４が内側のガードポケット１４に嵌り込むことを有効に防止し得るようになされている。
【００３１】
またかかるガードポケット１４は、図１において明らかなように、ガードポケット１４におけるキャリアテープ１０の幅方向の長さがエンボス部１１におけるキャリアテープ１０の幅方向の長さと比較して長くなるように選定されている。これによりこのキャリアテープ１０においては、図８のようにリール５に巻き付けられた状態において、当該リール５の径方向の外周側のガードポケット１４が内周側のエンボス部１１に重なり合った場合においても、図５（Ｃ）に示すように、外周側のガードポケット１４の外側壁が内周側のエンボス部１１内に入り込めず、かくして外周側のガードポケット１４が内周側のエンボス部１１に嵌り込むことを有効に防止し得るようになされている。
【００３２】
さらにかかるガードポケット１４は、図１において明らかなように、ガードポケット１４におけるキャリアテープ１０の長手方向の長さがエンボス部１１におけるキャリアテープ１０の長手方向の長さと比較して短くなるように選定されている。これによりこのキャリアテープ１０においては、図８のようにリール５に巻き付けられた状態において、当該リール５の径方向の外周側のエンボス部１１が内周側のガードポケット１４に重なり合った場合においても、図５（Ｄ）に示すように、外周側のエンボス部１１の外側壁が内周側のガードポケット１４内に入り込めず、かくして外周側のエンボス部１１が内周側のガードポケット１４に嵌り込むことを有効に防止し得るようになされている。
【００３３】
これによりこのキャリアテープ１０においては、エンボス部１１同士及びまたはエンボス部１１とガードポケット１４が嵌り込むことを防止することができ、かくして段部１５が設けられていることと併せて、電子部品６の突起電極７がエンボス部１１の底面１１Ａに接触することを有効に防止し得るようになされている。
【００３４】
（２）本実施の形態の作用及び効果
以上の構成において、このキャリアテープ１０では、エンボス部１１に収納された電子部品６を段部１５によって支持するように保持するが、このとき段部１５の端部が電子部品６の突起電極７を避けた波形状に形成されているため、電極面に形成された最外周の突起電極７から当該電極面の端部までの距離が小さい電子部品６についても、段部１５の端部を電子部品６の突起電極７に接触させることなく段部１５において確実に支持することができる。
【００３５】
またこの場合において、このキャリアテープ１０では、エンボス部１１内における電子部品６の位置が第１〜第４の突出部１６Ａ〜１６Ｄによって規制されるため、搬送時の振動等によって当該電子部品６が変位し、その突起電極７が段部１５の端部に接触するという事態を確実に防止することができる。
【００３６】
以上の構成によれば、収納される電子部品６の突起電極７よりも高い高さを有する段部１５をエンボス部１１内に設けると共に、当該電子部品６の突起電極７の形成位置に対応させて、当該段部１５の端部を波形状とするようにしたことにより、電極面に形成された最外周の突起電極７から当該電極面の端部までの距離が小さい電子部品６についても、段部１５の端部を電子部品６の突起電極７に接触させることなく段部１５において確実に支持することができ、かくして収納された電子部品６の破損を未然かつ確実に防止し得る信頼性の高いキャリアテープを実現できる。
【００３７】
（３）他の実施の形態
なお上述の実施の形態においては、エンボス部１１の段部１５の端部に、収納する電子部品６の最外周の突起電極７を２つずつの組に分けた場合の各組にそれぞれ対応させて、湾曲部１５Ａを設けるようにした場合について述べたが、本発明はこれに限らず、当該電子部品６の最外周の突起電極７にそれぞれ対応させて湾曲部１５Ａを設け、又は当該最外周の突起電極７を３つ以上の所定数ずつの組に分けた場合の各組にそれぞれ対応させて湾曲部１５Ａを設けるようにしても良い。
【００３８】
また上述の実施の形態においては、段部１５の端部が上側にいくに従ってこれら突起電極７から大きく離反されるように湾曲し波形状を形成しているような場合について述べたが、本発明はこれに限らず、かかる段部１５の端部を全体としてエンボス部１１の底面１１Ａに対して垂直に形成しながら当該端部を全体として波形状に形成するようにしても良い。
【００３９】
さらに上述の実施の形態においては、四方の各側面の幅方向の中央部をそれぞれエンボス部１１の内側に突出させてなる第１〜第４の突出部１６Ａ〜１６Ｄを設けた場合について述べたが、本発明はこれに限らず、これら第１〜第４の突出部１６Ａ〜１６Ｄを省略すると共にエンボス部１１内に収納された電子部品６に図４（Ａ）に示すような偏りや図４（Ｂ）に示すような回転があった場合にも、当該電子部品６の最外周の突起電極７と接触しないように段部１５の波形形状を選定するようにしても良い。
【００４０】
さらに上述の実施の形態においては、ガードポケット１４の深さをそれぞれエンボス部１１と同じ深さに形成するようにした場合について述べたが、本発明はこれに限らず、ガードポケット１４をエンボス部１１に比べて僅かに深く形成するようにしても良く、要は、キャリアテープ１０の他面１０Ｂ側へのガードポケット１４の突出量をエンボス部１１の突出量と同じ又はこれよりも大きくするのであれば、ガードポケット１４への深さはエンボス部１１と同じでなくても良い。
【００４１】
さらに上述の実施の形態においては、ガードポケット１４の形状を図１のような形状とするようにした場合について述べたが、本発明はこれに限らず、例えば図１の対応部分に同一番号を付して示す図６のガードポケット２１のように形成するようにしても良く、要は、エンボス部１１同士でガードポケット１４同士の嵌り込みを防止でき、かつ部品との接触を防止できるような形状であればガードポケット１４の形状としてはこの他種々の形状を広く適用することができる。
【００４２】
さらに上述の実施の形態においては、キャリアテープ１０がリール５に巻き付けられた場合における当該リール５の径方向に隣接するエンボス部１１同士の嵌り込みを防止するためのガード部としてのガードポケット１４の形態をエンボス部１１と同じ凹形状とするようにした場合について述べたが、本発明はこれに限らず、要は、キャリアテープ１０の他面１０Ｂ側に少なくともエンボス部１１と同じ高さに突出するように形成するのであれば、かかるガード部の形態としては凹部状以外の種々の形態を広く適用することができる。
【産業上の利用可能性】
【００４３】
本発明は、テープ状部品包装体に関し、例えば電極面に突起電極が形成された電子部品を収納して搬送するためのキャリアテープに適用できる。
【図面の簡単な説明】
【００４４】
【図１】本実施の形態によるキャリアテープの構成を示す上面図およびX１−X１’断面図、Y１−Y１’断面図である。
【図２】エンボス部の具体的構成を示す上面図およびX２−X２’断面図である。
【図３】エンボス部に電子部品を収納した様子を示す上面図およびX３−X３’断面図である。
【図４】エンボス部内における電子部品の変位を示す略線図である。
【図５】ガードポケットの具体的構成の説明に供する略線図である。
【図６】他の実施の形態によるキャリアテープの構成を示す上面図およびX４−X４’断面図、Y４−Y４’断面図である。
【図７】従来のキャリアテープの構成を示す略線図である。
【図８】リールに巻き付けられたキャリアテープの様子を示す略線図である。
【図９】エンボス部相互間の位置関係を示す略線図である。
【図１０】エンボス部同士の嵌り込みの説明に供する断面図である。
【図１１】段部を設けたエンボス部の構成を示す断面図である。
【符号の説明】
【００４５】
５……リール、６……電子部品、７……突起電極、１０、２０……キャリアテープ、１１……エンボス部、１１Ａ……底面、１２……送り穴、１３……ガイド溝部、１４、２１……ガードポケット、１４Ａ〜１４Ｄ、１６Ａ〜１６Ｄ……内側面、１５……段部、１５Ａ……湾曲部、１６……突出部。
【図１】
2005104540.tif 000003
【図２】
2005104540.tif 000004
【図３】
2005104540.tif 000005
【図４】
2005104540.tif 000006
【図５】
2005104540.tif 000007
【図６】
2005104540.tif 000008
【図７】
2005104540.tif 000009
【図８】
2005104540.tif 000010
【図９】
2005104540.tif 000011
【図１０】
2005104540.tif 000012
【図１１】
2005104540.tif 000013